(57)【要約】【課題】  常時開口している第１の入賞口に加え、可動役物部材の作動によって、第２の入賞口が開放する構成において、第１の入賞口からの入賞と、第２の入賞口からの入賞を判別する。【解決手段】  通常始動口１０２から入賞したパチンコ球は第１の入賞センサ１０６で検出し、電動チューリップ４７が開放しときのみ入賞可能な特典始動口１０４から入賞したパチンコ球は第２の入賞センサ１１０で検出し、それぞれ別データとしてホールコンピュータ２００へ送出するようにしたため、通常遊技状態における分間始動、すなわち、通常始動口１０２から入賞したパチンコ球のみを基にして分間始動を演算することができるため、誤差のないデータを用いて釘の点検・調整が可能となる。【選択図】      図７
2006174866.tif 000002
【特許請求の範囲】
【請求項１】
入賞装置への入賞を主目的とした通常遊技状態において、前記入賞装置への入賞を契機に特別図柄抽選が実行され、前記特別図柄抽選が当たりの場合に、短期間で多くの賞球をもたらす特別遊技状態とする遊技機であって、
前記入賞口が、
常時開口する第１の入賞口と、通常は閉塞状態とされ可動役物部材が作動することで開口する第２の入賞口とで構成された入賞開口部と、
前記入賞開口部への遊技球の入賞を検出すると共に、前記第１の入賞口からの入賞か、第２の入賞口からの入賞かを判別可能な入賞センサと、を有することを特徴とする遊技機。
【請求項２】
前記入賞センサが、前記第１の入賞口に入賞した遊技球を検出する第１の入賞センサと、前記第２の入賞口に入賞した遊技球を検出する第２の入賞センサと、で構成されていることを特徴とする請求項１記載の遊技機。
【請求項３】
前記入賞センサによる遊技球の検出情報を、外部制御装置へ送出する情報送出手段を有することを特徴とする請求項１又は請求項２記載の遊技機。
【請求項４】
前記情報送出手段が、前記入賞センサによる遊技球の検出情報に加え、前記可動役物部材の作動状態情報を、外部制御装置へ送出することを特徴とする請求項３記載の遊技機。
【請求項５】
前記検出情報が、第１の入賞口への遊技球の入賞回数情報、及び第２の入賞口への遊技球の入賞回数情報であることを特徴とする請求項３又は請求項４記載の遊技機。
【請求項６】
前記請求項１乃至請求項５の何れか１項記載の遊技機から送出される前記入賞センサによる遊技球の検出情報に基づいて、第１の入賞口及び第２の入賞口の各々の入賞状態を管理する情報管理装置。
【発明の詳細な説明】
【技術分野】
【０００１】
本発明は、入賞装置への入賞を主目的とした通常遊技状態において、前記入賞装置への入賞を契機に特別図柄抽選が実行され、前記特別図柄抽選が当たりの場合に、短期間で多くの賞球をもたらす特別遊技状態とする遊技機に関するものである。
【背景技術】
【０００２】
従来より、遊技機、特にパチンコ機において、始動口（予め設定した入賞装置の入賞開口部）に入賞したパチンコ球を検出することで特別図柄抽選（以下、特図抽選という）がなされ、この特図抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り処理）を持つパチンコ機がある。
【０００３】
前記入賞装置には、入賞開口部に電動チューリップ（可動役物装置）が設けられており、通常は閉止状態とされている。この閉止状態においては入賞開口幅が狭くなっている。
【０００４】
電動チューリップは、普通図柄抽選によって当選した場合に所定時間開放するようになっているが、大当たり処理後の遊技者への特典である確率変動状態、時間短縮状態の一部として、前記電動チューリップの開放時間を延長することで、始動口への入賞を高めるようにしている。電動チューリップが開放すると、入賞開口幅が拡大され、入賞が飛躍的に伸びる。
【０００５】
ここで、ホール（パチンコ店）側では、稼働状況の管理の一環として、前記始動口への入賞状態を把握している。この始動口への入賞状態を把握することで、パチンコ機の稼働状態を判断し、運営上の対策のための情報とすることができる。
【０００６】
始動口への入賞状態は、「分間始動」という数値データで表される。この「分間始動」は、１分間に１００個のパチンコ球が発射されることを想定して、１分間に何個入賞したかを求めるもので、分間始動入賞個数とも呼ばれ、以下の式によって定められている。
【０００７】
分間始動  ＝入賞個数／（（アウト個数−大当たり処理中のアウト個数）／１００）・・・（１）
但し、（１）式において、入賞個数に関しては、大当たり処理中を除く。
【０００８】
この分間始動は、パチンコ機の釘の点検・調整の際の参考となるものであり、重要なデータの１つである。
【０００９】
ここで、上記分間始動のデータを管理するために店側に設置されているホールコンピュータでは、上記電動チューリップの開放しているとき、閉止しているときに関わらず、データ（入賞を検出した信号を計数したデータであり、以下、必要に応じて「基データ」という）を集計している。言い換えれば、分間始動を演算する基データとしては、始動口への入賞個数という１種類のみである。
【００１０】
すなわち、電動チューリップが開放することで始動口の開口幅は拡大するが、内部では電動チューリップが閉止しているときと共通の案内路を通って、単一の入賞センサを通過する構造となっているため、特に、電動チューリップの開放状態では、どこから入賞したかは不明となる。
【００１１】
なお、入賞装置の関連技術として、入賞装置への入賞経路に応じて異なる賞球数を払い出す（入賞経路を判別する）構造が提案されている（特許文献１参照）。
【特許文献１】特開平１０−２３４９４８号公報
【発明の開示】
【発明が解決しようとする課題】
【００１２】
しかしながら、前記電動チューリップが閉止している状態と、開放している状態とでは、前記分間始動の演算結果が大きく異なる。
【００１３】
例えば、表１は、従来に係る各パチンコ機における分間始動を演算した結果をまとめたものである。
【００１４】
【表１】
2006174866.tif 000003
【００１５】
上記表１の如く、分間始動（分始１乃至分始３）は、それぞれ分始１が通常遊技中（表１は、「通常」と記載）、分始２が確率変動中（表１は、「確変」と記載）、分始３が時間短縮中（表１は、「時短」と記載）を示しており、演算する時期によって分間始動の数値が大きく変わっていることがわかる。
【００１６】
これでは、分間始動データを、釘の点検・調整するためのデータとして適用できない。すなわち、釘の点検・調整をするための分間始動データは、電動チューリップが閉止しているとき、すなわち通常遊技状態のデータが必要であるが、現状では、このようなデータ管理はなされていない。
【００１７】
このため、電動チューリップが閉止しているとき（通常遊技状態）のみの基データを抽出して分間始動を演算すればよいが、現状のパチンコ機では、確率変動、時間短縮を付与している期間が長く、通常遊技状態のみの基データを抽出しても、これが収束できるほどのデータ量を確保することが困難となっている。
【００１８】
また、特許文献１のような構成は、入賞口を完全に分離しなければならず、構造が複雑となる。
【００１９】
本発明は上記事実を考慮し、常時開口している第１の入賞口に加え、可動役物部材の作動によって、第２の入賞口が開放する構成において、第１の入賞口からの入賞と、第２の入賞口からの入賞を判別することができる遊技機を得ることが目的である。
【００２０】
また、上記目的に加え、釘点検・調整に必要な第１の入賞口からのみの入賞に基づく分間始動データを精度よく作成することができる管理装置を得ることが目的である。
【課題を解決するための手段】
【００２１】
請求項１に記載の発明は、入賞装置への入賞を主目的とした通常遊技状態において、前記入賞装置への入賞を契機に特別図柄抽選が実行され、前記特別図柄抽選が当たりの場合に、短期間で多くの賞球をもたらす特別遊技状態とする遊技機であって、前記入賞口が、常時開口する第１の入賞口と、通常は閉塞状態とされ可動役物部材が作動することで開口する第２の入賞口とで構成された入賞開口部と、前記入賞開口部への遊技球の入賞を検出すると共に、前記第１の入賞口からの入賞か、第２の入賞口からの入賞かを判別可能な入賞センサと、を有することを特徴としている。
【００２２】
請求項１に記載の発明によれば、第１の入賞口、第２の入賞口の何れかからの入賞かを判別することができる入賞センサを配置したため、可動役物部材が閉塞している状態であっても、開放している状態であっても、第１の入賞口への入賞状態、第２の入賞口への入賞状態を把握することができる。なお、入賞状態とは、例えば、遊技球の入賞数である。
【００２３】
請求項２に記載の発明は、前記請求項１に記載の発明において、前記入賞センサが、前記第１の入賞口に入賞した遊技球を検出する第１の入賞センサと、前記第２の入賞口に入賞した遊技球を検出する第２の入賞センサと、で構成されていることを特徴としている。
【００２４】
請求項２に記載の発明によれば、入賞センサとして、前記第１の入賞口に入賞した遊技球を検出する第１の入賞センサと、前記第２の入賞口に入賞した遊技球を検出する第２の入賞センサを設け、それぞれ異なる案内路に配置することで、第１の入賞口、第２の入賞口への遊技球の入賞数を判別することができる。
【００２５】
請求項３に記載の発明は、前記請求項１又は請求項２に記載の発明において、前記入賞センサによる遊技球の検出情報を、外部制御装置へ送出する情報送出手段を有することを特徴としている。
【００２６】
請求項３に記載の発明によれば、特別図柄抽選の契機となる始動口として、前記入賞装置を適用することで、可動役物部材の作動、非作動に関係なく、通常遊技状態の始動口への入賞状態を把握することができ、この入賞状態に関する情報を、例えば、釘点検・調整のデータとして適用することができる。
【００２７】
すなわち、情報送出手段では、入賞センサによる遊技球の検出情報外部制御装置へ送出する。これにより、各遊技機の通常遊技状態、特別遊技状態のそれぞれの稼動状態を別々に把握することが可能となる。
【００２８】
請求項４に記載の発明は、前記請求項３に記載の発明において、前記情報送出手段が、前記入賞センサによる遊技球の検出情報に加え、前記可動役物部材の作動状態情報を、外部制御装置へ送出することを特徴としている。
【００２９】
請求項４に記載の発明によれば、情報送出手段では、入賞センサによる遊技球の検出情報、並びに前記可動役物部材の作動状態情報を、外部制御装置へ送出する。これにより、各遊技機の稼動状態を把握し、さらには、球噛み等の不具合や、不正行為等を迅速に発見することが可能となる。
【００３０】
請求項５に記載の発明は、前記請求項３又は請求項４に記載の発明において、前記検出情報が、第１の入賞口への遊技球の入賞回数情報、及び第２の入賞口への遊技球の入賞回数情報であることを特徴としている。
【００３１】
請求項５に記載の発明によれば、検出情報が、第１の入賞口への遊技球の入賞回数情報、及び第２の入賞口への遊技球の入賞回数情報であり、これらを別々な情報として把握することで、各遊技機の通常遊技の下での稼動状態を正確に得ることができ、例えば、営業開始前の釘点検や調整等の情報として適用することができる。この通常遊技の下での稼動状態が、店側にとって売上に多大な影響を及ぼすものであり、この通常遊技の下での稼動状態を正確に把握できることで、経営の安定化を図ることができる。
【００３２】
請求項６に記載の発明は、前記請求項１乃至請求項５の何れか１項記載の遊技機から送出される前記入賞センサによる遊技球の検出情報に基づいて、第１の入賞口及び第２の入賞口の各々の入賞状態を管理することを特徴とする。
【００３３】
請求項６に記載の発明によれば、第１の入賞口及び第２の入賞口の各々の入賞状態を管理することで、特に第２の入賞口が開口しているときの第１の入賞口のみの入賞状態が把握でき、遊技機の通常遊技の下での稼動状態を正確に得ることができ、例えば、営業開始前の釘点検や調整等の情報として適用することができる。
【発明の効果】
【００３４】
以上説明した如く本発明では、常時開口している第１の入賞口に加え、可動役物部材の作動によって、第２の入賞口が開放する構成において、第１の入賞口からの入賞と、第２の入賞口からの入賞を判別することができるという優れた効果を有する。
【００３５】
また、上記効果に加え、釘点検・調整に必要な第１の入賞口からのみの入賞に基づく分間始動データを精度よく作成することができるという効果を有する。
【発明を実施するための最良の形態】
【００３６】
（全体構成）
図１には、本実施の形態に係るパチンコ機１０が示されている。パチンコ機１０は額縁状の枠体１２に収容されている。パチンコ機１０の前面には、ガラス枠１４が設けられている。
【００３７】
ガラス枠１４には、複数の表示灯１６やスピーカ１８が設けられている。また、ガラス枠１４の中央は窓部となっており、この窓部には紙面奥行き方向に所定の間隔で互いに平行とされた一対のガラス２０（二重構造）が装着されている。さらに、ガラス枠１４の図１の右辺部には施錠装置（シリンダ）２２が設けられている。
【００３８】
ガラス枠１４の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００３９】
この貯球タンクには、パチンコ機１０の上端に設けられた貯留部（図示省略）に貯留されたパチンコ球が払い出されるようになっている。この払い出しには、遊技者にパチンコ球を貸し出すとき（球貸）と、遊技の進行に応じて遊技者に付与するとき（賞球）と、の２種類がある。
【００４０】
一体皿２６は、その一側部（図１の左辺部）が枠体１２に対して開閉可能に取付けられている。一体皿２６の前面には、左側下部に灰皿２８が配置され、右側下部には発射装置１６６（図４参照）から発射する打球の飛距離を調整するための発射ハンドル３０が設けられている。
【００４１】
また内枠１４の窓部には、遊技盤載置台に載せて交換可能とされた遊技盤３２が窓部に対応して設置されている。
【００４２】
図２に示される如く、遊技盤３２は、外バンド３６及び内バンド３８によって囲まれた略円形状の遊技領域が形成されている。
【００４３】
遊技領域には、図示しない釘や風車の他、センター役物４２、当該センター役物４２に設けられた演出図柄表示部４３、並びに大入賞口（変動入賞装置）４４等の役物、特別図柄抽選の契機となる始動口として適用された始動入賞装置４６や通過装置４８、一般入賞装置４９等の遊技部品が取り付けられており、最下位置にアウト口５４が配置されている。なお、センター役物４２の上端部には、普通図柄表示装置４２Ａが設けられている。
【００４４】
通過装置４８（図２の向かって左側の通過装置４８のみの場合もある）は、前記普通図柄表示装置４２Ａの始動トリガとなっており（普通図柄始動口）、通過装置４８をパチンコ球が通過すると普通図柄抽選（普図抽選）が実行され、当たりの場合、普通図柄表示装置４２Ａの表示が当りを表示し、電動チューリップ４７が開放し、始動入賞装置４６への入賞の確率が物理的に高まるようになっている。
【００４５】
また、表示部４３の上部には、保留ランプ１００が設けられており、本実施の形態では、最大４個の保留が可能であるため、この数に対応した４個の保留ランプ１００が設けられている。
【００４６】
保留とは、前記表示部４３において、図柄変動パターン演出を実行中に新たに始動入賞装置４６に入賞した場合に、この入賞により実行された特図抽選の結果の報知を待機することを言う。なお、大当たり処理中に始動入賞装置４６に入賞した場合も、表示部４３が大当たり処理演出の動画パターンを再生しているため、保留の対象となる。但し、保留する数には限度があり（本実施の形態では４個）、これ以上の始動入賞装置４６への入賞は保留の対象とはならない。なお、通過装置４８をパチンコ球が通過したときに普図抽選を保留可能としてもよい。
【００４７】
（始動入賞装置４６の構造）
図３に示される如く、始動入賞装置４６は、遊技盤３２の表面に密着する平板状のフランジ４６Ａ（図３（Ａ）参照）を備えている。このフランジ４６Ａの上部には第１の入賞口である通常始動口１０２が設けられ、この通常始動口１０２の下部左右には第２の入賞口である特典始動口１０４が設けられている。
【００４８】
特典始動口１０４には、電動チューリップ４７が設けられており、通常は閉止状態であり、この閉止状態の電動チューリップ４７と、上部に位置する通常始動口１０２とによって、前記特典始動口１０４へのパチンコ球の入賞がが阻まれている。
【００４９】
前記通常始動口１０２（上部開口）から入賞したパチンコ球は、案内路１０７（図３（Ｂ）参照）に沿って遊技盤３２の裏面側へと案内され、かつこの遊技盤３２の裏面側に沿って、遊技盤３２の裏面側に設けられた第１の始動入賞センサ１０６へと案内されるようになっている。なお、第１の始動入賞センサ１０６は、遊技盤３２の表面側から見て、始動入賞装置４６の取付位置の左側に配設されている。
【００５０】
一方、図３（Ｂ）に示される如く、特典始動口１０４（電動チューリップ４７の開放時）から入賞したパチンコ球は、前記電動チューリップ４７の開閉機構部４７Ａを回避するように斜め下方向に向けられた案内路１０８に沿って遊技盤３２の裏面へと案内される。この案内路１０８の途中には、第２の始動入賞センサ１１０が設けられており、前記始動入賞装置４６一部を構成している。
【００５１】
上記構成の始動入賞装置４６においては、通常始動口１０２の入賞後の案内路１０７と、特典始動口１０４の入賞後の案内路１０８とが分離しており、それぞれの入賞を別の入賞センサ（第１の始動入賞センサ１０６又は第２の始動入賞センサ１１０）で検出する構成となっている。
【００５２】
（制御系の構成）
図４には、パチンコ機１０を制御するための制御系の概略が示されている。制御系は、主制御部１５０を中心として構成されている。主制御部１５０には、遊技に関する基本的なプログラムが記憶されており、この主制御部１５０からの命令信号に基づいて、各部の動作が制御されるようになっている。
【００５３】
この主制御部１５０には、始動入賞装置４６に設けられた第１の入賞センサ１０６（通常始動口１０２用）、第２の入賞センサ１１０（特典始動口１０４用）、普通図柄始動口である通過装置４８や、入賞装置４９に設けられた通過／入賞センサ１７２並びに大入賞口４４に入賞したパチンコ球を検出する大入賞口センサ１７３、前記一体皿６に設けられたスイッチ５０が接続されている。なお、大入賞口４４には、大入賞口の開閉動作を継続するためのＶゾーンが設けられており、このＶゾーンにもＶゾーンセンサ１７７が設けられており、主制御部１５０に接続されている。このＶゾーンセンサ１７７は、省略して大入賞口センサ１７３のみにするものでもよい。
【００５４】
さらに、主制御部１５０には、始動入賞装置４６に設けられた電動チューリップ４７（図２参照）を開閉させるための普通電動役物ソレノイド１７４、大入賞口４４を開閉させるための大入賞口ソレノイド１７５、保留ランプ１００、特別図柄表示部４３Ａ、普通図柄表示部４２Ａが接続されている。
【００５５】
また、主制御部１５０からは盤用外部端子１９０を介してホールコンピュータ２００（図５参照）へ遊技の進行状態を示す情報（始動入賞信号（第１、第２）や大当たり信号、図柄確定回数信号）が出力されるようになっている。
【００５６】
ここで、パチンコ球が始動入賞装置４６に入賞すると、これを始動入賞センサ１０６で検出することで特図抽選が主制御部１５０にて実行されるようになっており、当選した場合は、通常遊技状態から特別遊技状態へ遊技状態が移行するように主制御部１５０にて制御する。
【００５７】
一方、この主制御部１５０には、演出制御部１５２と、払出制御部１５４とがコマンド送信による制御が可能なように接続されている。
【００５８】
演出制御部１５２には、図柄制御部１５６を介してセンター役物４２の表示部（ＬＣＤ）４３が接続されている。また、演出制御部１５２は、パチンコ機１０のガラス枠１４に取り付けられた複数の表示灯１６の点灯・消灯、スピーカ１８の出力を制御する。なお、表示部４３では、前記特図抽選の結果を報知するための図柄変動パターン演出画像を表示すると共に、スピーカ１８からは当該図柄変動パターン演出時のＢＧＭが出力されるようになっている。すなわち、遊技者は、視覚及び聴覚を通じて、特図抽選の結果に対応した演出図柄による演出を楽しむことができる。なお、普通図柄表示装置４２Ａ、保留ランプ１００は表示部４３にて表示するものでもよい。なお、図柄変動パターンには、特別図柄変動パターン及び演出図柄変動パターンがあり、双方共に特図抽選の結果を報知するものであるが、特別図柄変動パターンは予め定められた変動及び停止を行い特図抽選の結果を所定時間経過後に正式に報知する性質のものであるのに対し、演出図柄変動パターンは当該特図抽選の結果を報知するまでの過程に演出を加味し、当選／落選かに一喜一憂させながら報知する性質のものである。
【００５９】
従って、実際には、演出図柄変動パターンを表示部４３の全域に表示し、特別図柄変動パターンは、表示部４３Ａに形式的に表示するようにしている。
【００６０】
ここで、前記特図抽選の結果が当たりとなり、表示部４３における図柄変動パターン演出並びにスピーカ１８からのＢＧＭ出力によって、当該当選を報知し終えると、特別遊技状態である大当たり処理が実行される。
【００６１】
この大当たり処理は、前記大入賞口４４が所定回数（ラウンド）開放するものである。１ラウンドの開放時間は約３０秒とされ、この間に最大１０個のパチンコ球が入賞可能となる。すなわち、時間制限である３０秒、或いは数制限である１０個の何れか一方が先に満足されると、そのラウンドの権利は消滅し、当該大当たり処理中に大入賞口４４内のＶゾーンへの入賞があった場合に、次のラウンドへ移行することが約束される。なお、Ｖゾーンを省略し、単に所定個数のカウントをし、次に継続するものでもよい。
【００６２】
このため、特別遊技状態では、通常遊技状態よりも短期間で多くの入賞が期待され、遊技者にとって有利な遊技状態とすることができる。
【００６３】
また、前述したように、前記表示部４３において、図柄変動パターン演出を実行中に新たに始動入賞装置４６に入賞した場合、並びに大当たり処理中に始動入賞装置４６に入賞した場合、保留ランプ１００の表示が入賞した数に対応して、点灯数が増えていく（最大４個）。
【００６４】
一方、前回の図柄変動パターン演出が終了する、或いは大当たり処理が終了すると、表示部４３では、保留分の特図抽選結果の報知を行うべく、新たな図柄変動パターン演出が開始される。これに伴い、保留ランプ１００が１個消灯し、保留分の消化を遊技者に報知する。
【００６５】
また、払出制御部１５４には、払出装置１６０、貸出装置１６２、発射制御部１６４が接続されており、発射制御部１６４は、発射装置１６６を制御して、遊技者によるハンドル３０の操作に応じてパチンコ球を打ち出す。
【００６６】
さらに、払出制御部１５４では、枠用外部端子１９１を介して払出情報をホールに設置されたホールコンピュータ２００（図５参照）へ送出するようになっている。
【００６７】
図５には、前記パチンコ機１０が複数台配列されたホール内における、各パチンコ機１０とホールコンピュータ２００との間を接続するネットワークが示されている。
【００６８】
各パチンコ機１０毎に対応して、前記盤用外部端子１９０及び枠用外部端子１９１が接続された外部通信用基板２０２が島側に設けられており、この外部通信用基板２０２は、ネットワークケーブルの枝線２０４に接続されている。
【００６９】
枝線２０４は、中継基板２０６を介してネットワークケーブルの幹線２０８に接続されている。また、幹線２０８には、枝線２０６を介してホールコンピュータ２００が接続されている。
【００７０】
これにより、各パチンコ機１０からは、遊技の進行に応じて様々なデータ、例えば、始動入賞信号、大当たり信号、図柄確定回数信号、賞球信号がホールコンピュータ２００へ送出され、このホールコンピュータ２００において、入力されたデータを解析することで、過去の出球率、大当たり回数、始動回数等の情報を生成し、当該情報を各パチンコ機１０の上部に配設される呼び出しランプユニット（図示省略）に設けられた表示器に表示したり、ホールコンピュータ２００の表示装置（画面）に表示するようになっている。なお、この読み出しランプユニットが、前記外部通信用基板２０２を兼ねてもよい。
【００７１】
上記のようにパチンコ機１０から遊技の進行に応じて、様々なデータがホールコンピュータ２００へ送出されるが、その内の１つとして、前記第１の始動入賞センサ１０６及び第２の始動入賞センサ１１０、並びに電動チューリップ４７の開閉動作状態の情報をホールコンピュータ２００へ送出し、これらによって、分間始動を演算するようにしている。
【００７２】
分間始動は、前述したように、入賞個数／（（アウト個数−大当たり処理中のアウト個数）／１００）という計算式（（１）式と同一）で表される。
【００７３】
ここで、本実施の形態では、電動チューリップ４７が閉止状態のとき、唯一の入賞開口となる通常始動口１０２へのパチンコ球の入賞を第１の入賞センサ１０６で検出し、電動チューリップ４７が開放状態のときのみ入賞が可能な特典始動口１０４へのパチンコ球の入賞を第２の入賞センサ１１０で検出している。
【００７４】
このため、第１の入賞センサ１０６及び第２の入賞センサ１１０からの検出信号を受けたホールコンピュータ２００では、電動チューリップ４７の開閉状態に関わらず、通常始動口１０２及び特典始動口１０４の個々の分間始動を演算することができるようになっている。
【００７５】
表２は、ホールコンピュータ２００における前記分間始動を演算した結果である。
【００７６】
【表２】
2006174866.tif 000004
【００７７】
上記表２と、「発明が解決しようとする課題の」項で示した表１とを比較すると、台番号１のパチンコ機１０において、分間始動１（分始１）が「６．２７」であるが、その内訳が、通常始動口１０２からの分間始動が「５．９５」であり、特典始動口１０４からの分間始動が「０．３２」である。
【００７８】
すなわち、通常遊技状態においても、希に電動チューリップ４７が開放することがあり、従来の分間始動の値は、純粋に通常始動口１０２から入賞したものではなく、誤差があることがわかる。
【００７９】
また、同様に、台番号１のパチンコ機１０において、分間始動２（分始２）は、「２２．７９」となっているが、その内訳は、通常始動口１０２からの分間始動が「５．９５」であり、特典始動口１０４からの分間始動が「１６．８４」である。すなわち、確変中であっても、通常始動口１０２への入賞のみを基にした分間始動の演算が可能となっている。
【００８０】
以下に、本実施の形態の作用を説明する。
【００８１】
まず、通常遊技の流れを図６に示す主制御部１５０の制御フローチャートに従い説明する。
【００８２】
遊技者がハンドル３０を把持し、発射のための操作を行なうと、このハンドル操作量（回転量）に応じた強度で、パチンコ球が打ち出される。
【００８３】
パチンコ球が打ち出されると、発射装置１６６から外バンド３６及び内バンド３８に案内されて盤面３２の釘や風車等に当接しながら、予測し得ない移動をしながら落下していく。ここで、始動入賞装置４６にパチンコ球が入賞すると（ステップ２５０の肯定判定）、それが有効か否かを判断し（ステップ２５２）、有効でありかつ保留の必要がない場合（ステップ２５２で肯定判定、かつステップ２５４で否定判定）、所定の確率下で特図抽選が開始される（ステップ２５６）。例えば、大当たり乱数カウンタ等から乱数を取得する。なお、大当たり判定は、前記取得した乱数値と予め設定した当たり値との照合をすることで、当たり／外れを判定するものである。
【００８４】
なお、始動入賞がなくても、保留がある場合（ステップ２５８の肯定判定）にも特図抽選は実行される。また、保留が必要の場合には（ステップ２５４の肯定判定）、保留が満タンでないことを条件に（ステップ２６０の否定判定）、保留数が加算される（ステップ２６２）。
【００８５】
一方、普通図柄始動口としての通過装置４８にパチンコ球が入賞すると、所定の確率下で普図抽選が開始される。
【００８６】
普図抽選の結果が当たりの場合は、電動チューリップ４７を所定回数、所定期間開放し、始動入賞装置４６への入賞の確率を高めることができる。なお、通常遊技中の電動チューリップ４７の動作は、開閉回数が１回、開放時間が０．５秒程度である。また、特別遊技中（確率変動中等の開放延長制御がなされているとき）の電動チューリップ４７の動作は、開閉回数が２回、開放時間が２秒程度である。
【００８７】
前記特図抽選後、その判定が実施され（ステップ２６４）、判定結果に基づいて、特別図柄変動パターンの抽選が実行され（ステップ２６６）、次いで特別図柄変動パターンの変動時間に準じた演出図柄変動パターンが選定されて（ステップ２６８）、演出制御部１５２へ演出図柄変動パターンコマンドが送出される（ステップ２７０）。
【００８８】
主制御部１５０では、特別図柄変動パターンの変動時間を計時しており、この変動時間が終了すると（ステップ２７２の肯定判定）、当該特別図柄変動パターンに対応する抽選結果が当たりの場合に（ステップ２７４の肯定判定）、大当たり処理の実行が開始される（ステップ２７６）。
【００８９】
大当たり処理は、予め設定したラウンド数（例えば、１５ラウンド）の特別遊技状態（大当たり処理）が実行される。この大当たり処理中は、大入賞口４４がほとんど開放状態であるため、遊技者によって有利な状態とすることができる。所定ラウンドの大当たり処理が終了すると、通常の遊技に戻る。
【００９０】
ここで、本実施の形態では、例えば、店の毎日の開店終了から次の開店開始までの間に、その日の出球状態に基づいて、釘の点検・調整を行っている。この釘の点検・調整のために必要なデータとして、分間始動がある。
【００９１】
この分間始動を得るためのパラメータ（基データ）は、各パチンコ機１０の外部出力基板２０２、枝線２０４、中継基板２０６、幹線２０８を介してホールコンピュータ２００へリアルタイムで入力される。ホールコンピュータ２００では、第１の入賞センサ１０６及び第２の入賞センサ１１０からの検出信号に基づいて、前述の表２を生成する。
【００９２】
分間始動は、通常始動口１０２への入賞状態に関わるものであるため、この分間始動に基づいて釘の点検・調整を行うことで、通常遊技状態の下での出球率の予測精度が向上する。
【００９３】
ところが、従来の分間始動は、電動チューリップ４７が開放したときにこの電動チューリップ４７の開放によって入賞可能となる特典始動口１０４からの入賞が加味されてしまい、正確な通常始動口１０２からの入賞に基づく分間始動を得ることができなかった（表１参照）。
【００９４】
そこで、本実施の形態では、通常始動口１０２からのパチンコ球の入賞を第１の入賞センサ１０６で検出し、特典始動口１０４からのパチンコ球の入賞を第２の入賞センサ１１０で検出するようにした。すなわち、同じ始動入賞であっても、それぞれを別々のデータとして取り扱うようにした。
【００９５】
すなわち、図７に示される如く、通常始動口１０２からの入賞に基づく第１の入賞センサ１０６からのパルス信号と、特典始動口１０４からの入賞に基づく第２の入賞センサ１１０からのパルス信号と、がホールコンピュータ２００に別々に入力される。
【００９６】
これにより、表２に示される如く、分始１乃至分始３に示される如く、遊技の進行状態（通常遊技状態、特別遊技状態等）に大きく左右されていたものが、通常始動口１０２の分間始動と、特典始動口１０４の分間始動とを別々のデータとして得ることができるため、統計の理論値に収束でき得る基データ量（第１の入賞センサ１０６による検出数）を確保することができ、精度の高い分間始動を得ることができる。
【実施例】
【００９７】
（データ解析並びに管理対象の実施例１）
図８に示される如く、前記第１の入賞センサ１０６の検出信号と、第２の入賞センサ１１０の検出信号に加え、電動チューリップ４７の開閉動作信号をホールコンピュータ２００で管理することで、例えば、図８の矢印Ａで示すような、正常の遊技状態ではあり得ない状況を認識することができる。
【００９８】
すなわち、電動チューリップ４７が閉止状態であるのに、特典始動口１０４からの入賞があるということは、その理由としては、（１）電動チューリップ４７にパチンコ球が噛み、閉じきっていない場合、（２）不正行為により、物理的にピアノ線等を使って物理的に電動チューリップ４７を開放させている場合、（３）不正行為により、第２の入賞センサ１１０の検出信号を生成している場合、が考えられる。
【００９９】
このような（１）乃至（３）の状況を、ホールコンピュータ２００によって迅速に認識することで、例えば、その対策として、店員を早期に該当するパチンコ機１０に向かわせることができる。
【０１００】
また、図９に示される如く、上記のような電動チューリップ４７が閉止状態のとき、連続して特典始動口１０４への入賞を検出している場合には、球噛みの可能性が高く、間欠に特典始動口１０４への入賞を検出している場合には、不正行為の可能性が高いことが判断できる。
【０１０１】
図１０は、実施例１に係るホールコンピュータ２００の電動チューリップ４７の球噛み検出処理ルーチンを示すフローチャートが示されている。
【０１０２】
ステップ２５０では、特典始動口１０４への入賞があったか否かが判断され、肯定判定されると、ステップ２５２へ移行して電動チューリップ４７の閉止後、所定時間（１秒）以内か否かが判断される。
【０１０３】
このステップ２５２で否定判定された場合には、ステップ２５４へ移行して、所定時間外入賞が最近１０分間に５回以上あったか否かが判断される。このステップ２５４で肯定判定されると、ステップ２５６へ移行して球噛みを表示部４３やスピーカ１８を用いて球噛み報知し、ステップ２５８へ移行する。
【０１０４】
なお、ステップ２５０で否定判定、ステップ２５２で肯定判定、ステップ２５４で否定判定された場合には、正常であるためこのルーチンは終了する。
【０１０５】
ステップ２５８では、今回の報知が最近の１０分間で３回以上か否かが判断され、肯定判定された場合には、不正行為の可能性があるため、ステップ２６０へ移行して表示部４３やスピーカ１８を用いて不正報知を実行する。また、ステップ２５８で否定判定された場合には、不正行為はないと判断し、このルーチンは終了する。
【０１０６】
（データ解析並びに管理対象の実施例２）
パチンコ機の遊技仕様として、通常始動口１０２に入賞した場合に実行される特図抽選確率が１／４００、特典始動口１０４に入賞した場合に実行される特図抽選確率が１／４０とした場合、確変中は確変信号が出力されているため、特に問題はないが、通常遊技状態で、特典始動口に入賞した場合には、通常始動口１０２と特典始動口１０４との入賞を合計数しか出力されないため、誤った釘点検・調整を行ってしまう場合がある。
【０１０７】
このような場合、通常始動口１０２と特典始動口１０４との入賞を、それぞれの別の入賞センサ（第１の入賞センサ１０６、第２の入賞センサ１１０）で検出し、ホールコンピュータ２００へ出力し、かつ、電動チューリップ４７の開閉動作信号を出力することで（表３参照）、釘の点検・調整に有効なデータを得ることができる。
【０１０８】
【表３】
2006174866.tif 000005
【０１０９】
（データ解析並びに管理対象の実施例３）
図１１に示される如く大当たり処理の終了時に、パチンコ機１０からの大当たり信号がＬ信号（立ち下がり、すなわち大当たり信号が終了）となっても、賞球信号（第１の入賞センサ１０６又は第２の入賞センサ１１０からの検出信号）が出続けていると、ホールコンピュータ２００では、大当たり状態である認識し続けるようにしている。
【０１１０】
すなわち、島からのパチンコ球の補給の遅れ等によって賞球にタイムラグが発生し、大当たり処理中の出球データに誤差が生じないようにするための処置である。
【０１１１】
ところが、この賞球の遅れと見なされていたものが、実際には、電動チューリップ４７が開放したことによることがあり、従来は、この電動チューリップ４７が開放したことによる入賞まで管理できていなかった。
【０１１２】
そこで、通常始動口１０２と特典始動口１０４への入賞を別々に管理し、かつ電動チューリップ４７の開閉動作信号を出力することで、ホールコンピュータ２００が大当たり終了を認識する時期を遅らせても、電動チューリップ４７が開放しているときに特典始動口１０４から入賞した数を差し引くことで、正確な大当たり処理中の出球を管理することができる。
【０１１３】
図１２には、実施例３に係るホールコンピュータ２００における出球補正処理制御ルーチンを説明するフローチャートが示されている。
【０１１４】
ステップ２７０では、大当たり処理中の出球の集計を実行し、次いでステップ２７２へ移行して、再集計の指示があるか否かが判断され、肯定判定されるとステップ２７４へ移行する。
【０１１５】
ステップ２７４では、大当たり処理中（ホストコンピュータ２００の認識）と、電動チューリップ４７の長時間開放（１秒以上）の信号が重なっているときがあるか否かが判断され、否定判定された場合には、再集計の必要がないと判断され、このルーチンは終了する。
【０１１６】
また、ステップ２７４で肯定判定された場合には、再集計するべく、ステップ２７６へ移行して、大当たり出球補正処理を実行する。
【０１１７】
すなわち、ステップ２７６では、大当たり処理後の最初の電動チューリップ４７の開放直前を大当たり処理の終了して再計算を行う。但し、大当たり処理と、電動チューリップ４７の長時間開放（１秒以上）の信号が重なっているときであっても、賞球数＞始動入賞賞球数の場合はこの補正処理は実行しない。
【０１１８】
（変形例）
上記実施の形態並びに実施例において、第１の入賞センサ１０６の検出信号と、第２の入賞センサ１１０の検出信号とを、別々の出力系統（パラレル信号）でホールコンピュータ２００へ送出するようにしたが、図１３に示される如く、第１の入賞センサ１０６の検出信号のパルス幅と、第２の入賞センサ１１０の検出信号のパルス幅とを、互いに異ならせることで、１系統で２種類のデータをホールコンピュータ２００へ送出することができる。これにより、新たな端子や配線等を増やすことなく、本発明を実現することができる。
【０１１９】
以上説明したように本実施の形態では、通常始動口１０２から入賞したパチンコ球は第１の入賞センサ１０６で検出し、電動チューリップ４７が開放しときのみ入賞可能な特典始動口１０４から入賞したパチンコ球は第２の入賞センサ１１０で検出し、それぞれ別データとしてホールコンピュータ２００へ送出するようにしたため、通常遊技状態における分間始動、すなわち、通常始動口１０２から入賞したパチンコ球のみを基にして分間始動を演算することができるため、誤差のないデータを用いて釘の点検・調整が可能となる。
【０１２０】
また、電動チューリップ４７の開閉動作信号と組み合わせることで、球噛みや不正行為等を迅速に認識することができる。
【０１２１】
さらに、大当たり終了後に電動チューリップ４７が開放したことによる、大当たり処理中の出球の管理も、誤差なく集計することができる。
【０１２２】
なお、本実施の形態、並びに実施例では、図１４（Ａ）に示される如く、において、通常始動口１０２に入賞したパチンコ球は第１の入賞センサ１０６で検出し、特典始動口１０４に入賞したパチンコ球は第２の入賞センサ１１０で検出する構成としたが、図１４（Ｂ）に示される如く、通常始動口１０２に入賞したパチンコ球は専用入賞センサ１０６Ａと共通入賞センサ１１０Ａを通過する構成とし、特典始動口１０４に入賞したパチンコ球は共通入賞センサ１１０Ａのみを通過する構成としてもよい。このような構成とすれば、案内路の一部を共通とすることができるため、構造が簡便となる。
【図面の簡単な説明】
【０１２３】
【図１】本実施の形態に係るパチンコ機の正面図である。
【図２】本実施の形態に係る遊技機の正面図である。
【図３】（Ａ）は本実施の形態に係る始動入賞装置の正面図、（Ｂ）は図３（Ａ）のＩＩＩＢ−ＩＩＩＢ線断面図である。
【図４】本実施の形態に係るパチンコ機における制御系のブロック図である。
【図５】本実施の形態に係るホール内のネットワーク接続状態を示す配線図である。
【図６】主制御部における通常遊技の流れを示す制御フローチャートである。
【図７】本実施の形態に係る第１の入賞センサ及び第２の入賞センサの出力状態を示すタイミングチャートである。
【図８】実施例１に係る第１の入賞センサ及び第２の入賞センサの出力状態、並びに電動チューリップの開閉状態を示すタイミングチャート（その１）である。
【図９】実施例１に係る第１の入賞センサ及び第２の入賞センサの出力状態、並びに電動チューリップの開閉状態を示すタイミングチャート（その２）である。
【図１０】実施例１に係る電動チューリップ球噛み検出処理ルーチンを示すフローチャートである。
【図１１】実施例３に係る大当たり処理時の出球補正処理のためのタイミングチャートである。
【図１２】実施例３に係る大当たり処理時の出球補正処理のための制御フローチャートである。
【図１３】実施例４に係る合成信号生成のためのタイミングチャートである。
【図１４】本実施の形態、並びに実施例に係る始動入賞装置の案内路構成図、（Ｂ）は案内路を共通化してコンパクト化した始動入賞装置の案内路構成図である。
【符号の説明】
【０１２４】
１０      パチンコ機（遊技機）
３２    遊技盤
４２    センター役物
４３    表示部（表示装置）
４３Ａ    特図表示枠
４６    始動入賞装置（入賞装置）
４６Ａ    フランジ
４７    電動チューリップ
１０２    通常始動口（第１の入賞口）
１０４    特典始動口（第２の入賞口）
１０６    第１の始動入賞センサ（第１の入賞センサ）
１０６Ａ    専用入賞センサ
１０７    案内路
１０８    案内路
１１０    第２の始動入賞センサ（第２の入賞センサ）
１１０Ａ    共通入賞センサ
１５０    主制御部
１５２    演出制御部
１５６    図柄・音声制御部
１９０    盤用外部出力端子（情報送出手段）
１９１    枠用外部出力端子（情報送出手段）
２００    ホールコンピュータ（外部制御装置）
２０２    外部通信用基板（情報送出手段）
【図１】
2006174866.tif 000006
【図２】
2006174866.tif 000007
【図３】
2006174866.tif 000008
【図４】
2006174866.tif 000009
【図５】
2006174866.tif 000010
【図６】
2006174866.tif 000011
【図７】
2006174866.tif 000012
【図８】
2006174866.tif 000013
【図９】
2006174866.tif 000014
【図１０】
2006174866.tif 000015
【図１１】
2006174866.tif 000016
【図１２】
2006174866.tif 000017
【図１３】
2006174866.tif 000018
【図１４】
2006174866.tif 000019